(57)【要約】【課題】ネットワークへの負荷を低減する。【解決手段】本発明に係る携帯電話機１は、表示部４０と、表示部４０がＯＦＦの状態において、データ送信の要求があった場合には当該データ送信の要求に応じたデータ送信処理を保留し、イベントの発生に基づき、当該保留したデータ送信処理を実行する制御部１０と、を備え、制御部１０は、前記発生したイベントが所定のイベントである場合には、当該所定のイベントの発生に基づき、当該保留したデータ送信処理を実行しない。【選択図】図１
2014215873.tif 000002
【特許請求の範囲】
【請求項１】
表示部と、
前記表示部がＯＦＦの状態において、データ送信の要求があった場合には当該データ送信の要求に応じたデータ送信処理を保留し、イベントの発生に基づき、当該保留したデータ送信処理を実行する制御部と、を備え、
前記制御部は、前記発生したイベントが所定のイベントである場合には、当該所定のイベントの発生に基づき、当該保留したデータ送信処理を実行しない装置。
【請求項２】
前記イベントは、前記表示部をＯＮの状態に遷移させるイベントであって、
前記制御部は、前記イベントが発生すると、前記表示部をＯＮの状態に遷移させ、前記保留したデータ送信処理を実行する請求項１に記載の装置。
【請求項３】
前記制御部は、前記発生したイベントが所定のイベントである場合には、当該所定のイベントの発生に基づき当該保留したデータ送信処理を実行せず、前記保留したデータ送信処理に関するデータを破棄する請求項１又は２に記載の装置。
【請求項４】
前記制御部は、前記発生したイベントが所定のイベントである場合には、当該所定のイベントの発生に基づき当該保留したデータ送信処理を実行せず、データ通信処理を停止する期間が経過すると前記保留したデータ送信処理を実行する請求項１又は２に記載の装置。
【請求項５】
操作部をさらに備え、
前記制御部は、前記発生したイベントが所定のイベントである場合には、当該所定のイベントの発生に基づき当該保留したデータ送信処理を実行せず、前記操作部による所定の操作があると前記保留したデータ送信処理を実行する請求項１又は２に記載の装置。
【請求項６】
前記制御部は、前記発生したイベントが所定のイベントである場合には、当該所定のイベントの発生に基づき当該保留したデータ送信処理を実行せず、乱数によるタイマーを開始し、当該タイマーが満了すると前記保留したデータ送信処理を実行する請求項１又は２に記載の装置。
【請求項７】
表示部と、
前記表示部がＯＦＦの状態において、データ送信の要求があった場合には当該データ送信の要求に応じたデータ送信処理を保留し、イベントの発生に基づき、当該保留したデータ送信処理を実行する制御部と、を備え、
前記制御部は、前記発生したイベントが所定のイベントである場合には、送受信ウィンドウサイズを縮小させる装置。
【請求項８】
表示部と、
前記表示部がＯＦＦの状態において、データ送信の要求があった場合には当該データ送信の要求に応じたデータ送信処理を保留し、イベントの発生に基づき、当該保留したデータ送信処理を実行する制御部と、を備え、
前記制御部は、前記表示部がＯＦＦの状態において、前記イベントが所定のイベントである場合、当該所定のイベントが発生する所定時間前の時刻以降、データ送信の要求があった場合には直ちに当該データ送信の要求に応じたデータ送信処理を実行する装置。
【請求項９】
前記所定時間は、乱数により設定される請求項８に記載の装置。
【請求項１０】
前記所定のイベントとは、所定のメッセージの受信又はアラーム報知である請求項１から９のいずれか一項に記載の装置。
【発明の詳細な説明】
【技術分野】
【０００１】
本出願は、装置に関する。
【背景技術】
【０００２】
スマートフォン又はタブレット端末等、タッチスクリーンディスプレイを備える通信機器は、高機能化に伴ってアプリケーションの実行、表示及び通信等に多くの電力を必要とする傾向にあるため、特に携帯型の通信機器では、ユーザの利便性を低下させることなく消費電力を低減させることが求められている。
【０００３】
消費電力を低減させるための一例として、制御部は、表示部がＯＦＦの状態において、定期的にデータ通信要求に対応するデータ通信処理を停止する期間を設定し、当該期間にデータ通信要求が発生した場合には一旦保留しておき、データ通信要求に対応するデータ通信処理を停止する期間を経過すると、当該一旦保留していたデータ通信要求に対応するデータ通信処理を一斉に行うことで、データ送信要求に対して直ちに当該データ通信要求に対応するデータ送信処理を実行する場合に比べて消費電力を低減することができる。
【発明の概要】
【発明が解決しようとする課題】
【０００４】
しかし、緊急地震速報等の複数の端末に対して一斉に送信されるメッセージの受信やアラーム報知等のような、ディスプレイがＯＮの状態に遷移するタイミングが複数の端末間で重なってしまうケースにおいては、それまで保留していたデータ通信要求に対応するデータ通信処理がディスプレイがＯＮの状態に遷移したことを契機として複数の端末が一斉に実行することとなってしまい、ネットワークへの負荷が増大してしまう。
【０００５】
よって、本発明は、ネットワークへの負荷を低減することを目的とする。
【課題を解決するための手段】
【０００６】
本発明の第１の装置は、表示部と、前記表示部がＯＦＦの状態において、データ送信の要求があった場合には当該データ送信の要求に応じたデータ送信処理を保留し、イベントの発生に基づき、当該保留したデータ送信処理を実行する制御部と、を備え、前記制御部は、前記発生したイベントが所定のイベントである場合には、当該所定のイベントの発生に基づき、当該保留したデータ送信処理を実行しない。
【０００７】
好適には、前記イベントは、前記表示部をＯＮの状態に遷移させるイベントであって、前記制御部は、前記イベントが発生すると、前記表示部をＯＮの状態に遷移させ、前記保留したデータ送信処理を実行する。
【０００８】
好適には、前記制御部は、前記発生したイベントが所定のイベントである場合には、当該所定のイベントの発生に基づき、当該保留したデータ送信処理を実行せず、前記保留したデータ送信処理に関するデータを破棄する。
【０００９】
好適には、前記制御部は、前記発生したイベントが所定のイベントである場合には、当該所定のイベントの発生に基づき当該保留したデータ送信処理を実行せず、データ通信処理を停止する期間が経過すると前記保留したデータ送信処理を実行する。
【００１０】
好適には、操作部をさらに備え、前記制御部は、前記発生したイベントが所定のイベントである場合には、当該所定のイベントの発生に基づき、当該保留したデータ送信処理を実行せず、前記操作部による所定の操作があると、前記保留したデータ送信処理を実行する。
【００１１】
好適には、前記制御部は、前記発生したイベントが所定のイベントである場合には、当該所定のイベントの発生に基づき、当該保留したデータ送信処理を実行せず、乱数によるタイマーを開始し、当該タイマーが満了すると、前記保留したデータ送信処理を実行する。
【００１２】
本発明の第２の装置は、表示部と、前記表示部がＯＦＦの状態において、データ送信の要求があった場合には当該データ送信の要求に応じたデータ送信処理を保留し、イベントの発生に基づき、当該保留したデータ送信処理を実行する制御部と、を備え、前記制御部は、前記発生したイベントが所定のイベントである場合には、送受信ウィンドウサイズを縮小させる。
【００１３】
本発明の第３の装置は、表示部と、前記表示部がＯＦＦの状態において、データ送信の要求があった場合には当該データ送信の要求に応じたデータ送信処理を保留し、イベントの発生に基づき、当該保留したデータ送信処理を実行する制御部と、を備え、前記制御部は、前記表示部がＯＦＦの状態において、前記イベントが所定のイベントである場合、当該所定のイベントが発生する所定時間前の時刻以降、データ送信の要求があった場合には直ちに当該データ送信の要求に応じたデータ送信処理を実行する。
【００１４】
好適には、前記所定時間は、乱数により設定される。
【００１５】
好適には、前記所定のイベントとは、所定のメッセージの受信又はアラーム報知である。
【発明の効果】
【００１６】
本発明によると、ネットワークへの負荷を低減することができる。
【図面の簡単な説明】
【００１７】
【図１】図１は、本発明の実施形態における携帯電話機１の機能を示すブロック図である。
【図２】図２は、本発明の第１の実施形態の処理を示すシーケンス図である。
【図３】図３は、本発明の第２の実施形態の処理を示すシーケンス図である。
【図４】図４は、本発明の第３の実施形態の処理を示すシーケンス図である。
【図５】図５は、本発明の第４の実施形態の処理を示すシーケンス図である。
【図６】図６は、本発明の第５の実施形態の処理を示すシーケンス図である。
【図７】図７は、本発明の第６の実施形態の処理を示すシーケンス図である。
【発明を実施するための形態】
【００１８】
図１は、本発明の実施形態に係る携帯電話機１の機能を示すブロック図である。
【００１９】
携帯電話機１は、制御部１０と、通信部２０と、記憶部３０と、表示部４０と、操作部５０と、音声制御部６０と、を備えて構成される。
【００２０】
制御部１０は、携帯電話機１の全体を制御しており、例えば、通信部２０、表示部４０等の各部に対して所定の制御を行う。また、制御部１０は、操作部５０あるいは通信部２０等から入力を受けて、各種処理を実行する。そして、制御部１０は、処理実行の際には、記憶部３０を制御し、各種プログラム及びデータの読み出し、及びデータの書き込みを行う。
【００２１】
制御部１０は、表示部４０の状態を管理する。具体的には、制御部１０は、表示部４０がＯＮの状態か、ＯＦＦの状態かを管理する。表示部４０がＯＮの状態とは、表示部４０が画面を表示している状態を指し、一方で表示部４０がＯＦＦの状態とは、表示部４０が画面を表示していない状態を指す。
【００２２】
制御部１０は、イベントの発生に基づき、表示部４０をＯＦＦの状態からＯＮの状態へ遷移させる。ここでいう、イベントの発生とは、例えば、操作部５０による所定の操作（特定のボタンの押下やタッチセンサに対する特定の位置に対する接触の検知）の結果の入力を受ける、メッセージ受信、アラーム報知、所定のアプリの起動等である。
【００２３】
また、表示部４０をＯＦＦの状態からＯＮの状態に遷移させるとは、具体的には、制御部１０は、表示部４０に対して、画面を表示するよう指示し、表示部４０はその指示を受けて、画面を表示させる。制御部１０は、表示部４０が表示若しくは点灯されたことを検出して、表示部４０がＯＦＦの状態からＯＮの状態へ遷移したと判定し、表示部４０がＯＮの状態であるとして管理する。ここでは、制御部１０は、実際に表示部４０が表示若しくは点灯されたことを検出したことで表示部４０がＯＦＦの状態からＯＮの状態に遷移したと判定しているが、これに限られず、制御部１０が表示部４０に対して、画面を表示するよう指示する直前若しくは指示する時に表示部がＯＦＦの状態からＯＮの状態に遷移したと判定してもよい。
【００２４】
制御部１０は、操作部５０による操作の結果としてのデータ通信要求の入力や、所定のアプリケーションによるデータ通信要求等、データ通信要求が発生したか否かを判定し、データ通信要求が発生したと判定した場合には、データ通信処理を実行することで、通信部２０を介してデータを外部装置（例えば、基地局装置）に対して送信する。ここでいうデータには、メール、写真や動画等に限られず、例えば、メールサーバに対するメールの問い合わせや、ウェブページの取得の要求、定期的な天気情報の取得要求、メールの送信要求等も含まれる。
【００２５】
制御部１０は、表示部４０がＯＦＦの状態において、定期的にデータ通信要求に対応するデータ通信処理を停止する期間を設定し、当該期間にデータ通信要求が発生した場合には一旦保留しておき、データ通信要求に対応するデータ通信処理を停止する期間を経過すると、当該一旦保留していたデータ通信要求に対応するデータ通信処理を一斉に行う。表示部４０がＯＦＦの状態においては、データ通信要求に対応するデータ通信処理を直ちに行わなくてもユーザの利便性を損なわず、当該データ通信要求に対応するデータ通信処理を停止する期間を設定することによって、データ通信要求が発生する度にデータ通信処理を行うことに比べて基地局との接続処理が少なくすみ、データ通信処理に係る消費電力を低減することができる。
【００２６】
制御部１０は、表示部４０がＯＮの状態において、データ通信要求が発生したと判定した場合、直ちに当該データ通信要求に応じたデータ通信処理を実行する。一方で、制御部１０は、表示部４０がＯＦＦの状態において、データ通信要求が発生したと判定した場合、当該データ通信要求に対応するデータ通信処理を実行せずに一旦保留する。次に、制御部１０は、表示部４０がＯＦＦの状態からＯＮの状態に遷移した場合か又は表示部４０がＯＦＦの状態で維持しつつデータ通信処理を停止する期間を経過した場合に、保留されているデータ通信処理を実行する。ここで、保留されているデータ通信処理が複数存在する場合には、当該複数の保留されているデータ通信処理を一斉に行う。このとき、複数のデータ通信処理は、保留された順に順次行ってもよいし、順不同で行ってもよい。なお、データ通信処理を停止する期間が始まるタイミングは携帯電話機１の電源がＯＮのタイミングに依存するものであって、データ通信処理を停止する期間は数分である。
【００２７】
また、ここでいう、データ通信処理を停止する期間を経過した場合に、保留されているデータ通信処理を実行するとは、具体的には、表示部４０がＯＦＦの状態に遷移してからデータ通信処理を停止する期間を経過するまでは、データ通信要求が発生しても当該データ通信要求に対応するデータ通信処理を保留し、当該データ通信処理を停止する期間を経過した場合にそれまで保留していたデータ通信要求に対応するデータ通信処理を実行することを意味する。データ通信処理を停止する期間を経過した場合に保留されているデータ通信処理を実行することによって、データ通信処理を実現しつつ表示部４０がＯＦＦの状態におけるデータ通信処理による消費電力を低減することができる。
【００２８】
一方で、制御部１０は、イベントの発生に基づき、表示部４０がＯＦＦの状態からＯＮの状態に遷移した場合において、当該発生したイベントが所定のイベントである場合には、保留中のデータ通信処理を実行せずに、当該保留中のデータ通信処理に関するデータを破棄する。ここでいう、所定のイベントとは、例えば、所定のメッセージの受信又はアラーム報知を指す。所定のメッセージとは、例えば、緊急地震速報、津波速報、災害・避難情報等の特定のエリアにおいて複数の端末に対して一斉に送信されるメッセージを含む。また、アラーム報知とは、ユーザが設定した又は予め設定されていた時刻に所定の音声をスピーカから出力すること等を含む。保留中のデータ通信処理に関するデータを破棄することによって、所定のメッセージ受信やアラーム報知に基づき、複数の携帯電話機間で一斉に表示部４０がＯＮの状態に遷移することにより複数の携帯電話機が一斉にデータ送信処理が実行されることが少なくなるため、ネットワークの負荷が増大することや輻輳が発生することを低減することができる。
【００２９】
通信部２０は、所定の使用周波数帯（例えば、２ＧＨｚ帯あるいは８００ＭＨｚ帯等）を用いて外部装置（各通信システムにおけるネットワークを構成する基地局等）と通信を行う。そして、通信部２０は、アンテナより受信した信号を復調処理し、処理後の信号を制御部１０に供給し、また、制御部１０から供給された信号を変調処理し、アンテナから外部装置に送信する。
【００３０】
ここで、通信部２０は、本実施形態においては、音声又はデータ通信用の通信システムであるＷ−ＣＤＭＡ、ＣＤＭＡ２０００１ｘ（以下、１ｘ）若しくはＧＳＭ、データ通信用の通信システムであるＣＤＭＡ２０００１ｘＥＶ−ＤＯ（以下、ＥＶＤＯ）、主に高速データ通信に用いられる通信システムであるＬＴＥに対応しており、いずれの通信システムでも通信可能である。通信部２０は、制御部１０からの指令に基づいて、複数の通信システムを選択的に切り替えて、基地局と通信を行う。
【００３１】
記憶部３０は、例えば、ワーキングメモリを含み、制御部１０による演算処理に利用される。また、本実施形態に係る各種プログラム等を記憶する。
【００３２】
表示部４０は、例えば、液晶ディスプレイ、有機ＥＬ（Ｅｌｅｃｔｒｏ  ｌｕｍｉｎｅｓｃｅｎｃｅ）ディスプレイ等である。表示部４０は、制御部１０からの指示に応じて表示を行う。
【００３３】
操作部５０は、例えば、ボタン、キーボード、タッチセンサ等で構成される。操作部５０によって操作されると、当該操作の結果が制御部１０に入力される。当該入力を受けた制御部１０は、当該入力に応じた制御を実行する。例えば、操作部５０によってデータ通信要求に応じた操作がされると、当該操作の結果としてデータ通信要求が制御部１０に入力され、当該入力を受けた制御部１０は、通信部２０を介して外部装置（例えば、基地局装置）に対するデータ通信要求の送信を実行する。
【００３４】
音声制御部６０は、制御部１０の制御に従って、通信部２０から供給された信号に対して所定の音声処理を行い、処理後の信号をレシーバ（図示せず）に出力する。レシーバは、音声制御部６０から供給された信号を外部に出力する。なお、この信号は、レシーバに代えて、又はレシーバと共に、スピーカ（図示せず）から出力されるとしてもよい。
【００３５】
また、音声制御部６０は、制御部１０の制御に従って、マイク（図示せず）から入力された信号を処理し、処理後の信号を通信部２０に出力する。通信部２０は、音声制御部６０から供給された信号に所定の処理を行い、処理後の信号をアンテナより出力する。
＜第１実施形態＞
本発明の第１実施形態を図２に沿って説明する。
【００３６】
制御部１０は、表示部４０がＯＦＦの状態と判定している状態（ステップＳ１）において、データ通信要求が発生したか否かを判定する（ステップＳ２）。制御部１０は、データ通信要求が発生したと判定した場合（ステップＳ２  ＹＥＳ）には、当該データ通信要求に対応するデータ通信処理を保留する（ステップＳ３）。その後、制御部１０は、表示部４０がＯＦＦの状態からＯＮの状態に遷移したか否かを判定し（ステップＳ４）、表示部４０がＯＮの状態に遷移したと判定した場合（ステップＳ４  ＹＥＳ）には、当該表示部４０のＯＮの状態への遷移が所定のメッセージの受信又はアラーム報知に起因するか否かを判定し（ステップＳ５）、当該表示部４０のＯＮの状態への遷移が所定のメッセージの受信又はアラーム報知に起因する場合（ステップＳ５  ＹＥＳ）には、保留中のデータ通信処理に関するデータを破棄する（ステップＳ６）。このとき、保留中のデータ通信処理が複数存在する場合には、当該複数の保留中のデータ通信処理に関するデータを全て破棄する。また、当該表示部４０のＯＮの状態への遷移が所定のメッセージの受信又はアラーム報知に起因しない場合（ステップＳ５  ＮＯ）、保留中のデータ通信処理を実行する（ステップＳ８）。一方で、制御部１０は、ステップＳ４において、表示部４０がＯＦＦの状態を継続していると判定すると（ステップＳ４  ＮＯ）、データ通信処理を停止する期間を経過したか否かを判定する（ステップＳ７）。ここで、データ通信処理を停止する期間を経過したか否かを判定するとは、表示部４０がＯＦＦの状態からＯＮの状態に遷移する前からデータ通信処理を停止する期間中だった場合には、表示部４０がＯＮの状態に遷移しても当該期間が経過するまでは継続してデータ通信処理を停止しておき、当該期間が経過したかどうかを判定する。制御部１０は、データ通信処理を停止する期間を経過したと判定すると（ステップＳ７  ＹＥＳ）、保留中のデータ通信処理を実行する（ステップＳ８）。一方で、制御部１０は、ステップＳ７において、データ通信処理を停止する期間を経過していないと判定すると（ステップＳ７  ＮＯ）、ステップＳ２に戻り、新たなデータ通信要求が発生したかどうかを監視する。ここで、制御部１０は、新たなデータ通信要求が発生したかどうかの監視と共に表示部４０がＯＮに遷移したかどうか（ステップＳ４）、データ通信処理を停止する期間を経過したかどうか（ステップＳ７）についても同時に監視してもよく、新たなデータ通信要求が発生したと判定された場合（ステップＳ２  ＹＥＳ）には、ステップＳ３に進み、表示部４０がＯＮに遷移したことを判定した場合（ステップＳ４  ＹＥＳ）、ステップＳ５に進み、データ通信処理を停止する期間を経過したと判定した場合（ステップＳ７  ＹＥＳ）には、ステップＳ８に進むとしてもよい。本第１実施形態により、複数の携帯電話機間で表示部がＯＮに遷移したとしても、保留中のデータ通信処理に関するデータは破棄されるため、複数の携帯電話機間で表示部がＯＮに遷移したタイミングで一斉にデータ通信処理が行われることが少なくなり、行複数の携帯電話機間でデータ通信処理が重複することを極力低減し、ネットワークの負荷を低減することができる。
＜第２実施形態＞
本発明の第２実施形態を図３に沿って説明する。
【００３７】
ステップＳ１１〜ステップＳ１４、ステップＳ１７及びステップＳ１８は、図２におけるステップＳ１〜ステップＳ４、ステップＳ７及びステップＳ８と同様である。
【００３８】
制御部１０は、表示部４０がＯＦＦの状態から表示部４０がＯＮの状態に遷移すると（ステップＳ１４  ＹＥＳ）、当該表示部４０のＯＮの状態への遷移が所定のメッセージの受信又はアラーム報知に起因するか否かを判定し（ステップＳ１５）、所定のメッセージの受信又はアラーム報知に起因すると判定した場合（ステップＳ１５  ＹＥＳ）には、保留中のデータ通信処理を実行せず、データ通信処理を停止する期間を経過するまで待機する（ステップＳ１６）。その後、制御部１０は、データ通信処理を停止する期間を経過したと判定した場合（ステップＳ１６  ＹＥＳ）、保留中のデータ通信処理を実行する（ステップＳ１８）。本第２実施形態により、データ通信処理を停止する期間のタイミングは、携帯電話機１の電源がＯＮになるタイミングに依存し、携帯電話機１の電源がＯＮになるタイミングは複数の携帯電話機間で異なるため、複数の携帯電話機間でデータ通信処理が重複することを極力低減することができ、ネットワークの負荷を低減することができる。
＜第３実施形態＞
本発明の第３実施形態を図４に沿って説明する。
【００３９】
ステップＳ２１〜ステップＳ２４、ステップＳ２７及びステップＳ２８は、図２におけるステップＳ１〜ステップＳ４、ステップＳ７及びステップＳ８と同様である。
【００４０】
制御部１０は、表示部４０がＯＦＦの状態から表示部４０がＯＮの状態に遷移すると（ステップＳ２４  ＹＥＳ）、当該表示部４０のＯＮの状態への遷移が所定のメッセージの受信又はアラーム報知に起因するか否かを判定し（ステップＳ２５）、所定のメッセージの受信又はアラーム報知に起因すると判定した場合（ステップＳ２５  ＹＥＳ）には、保留中のデータ通信処理を実行せず、操作部５０による所定の操作の結果が入力されるまで待機する（ステップＳ２６）。ここでいう所定の操作とは、タッチセンサに対する接触、緊急地震速報に関するアプリケーションをバックグラウンドへ移行する操作、特定のボタン又はキーボードの特定のキーの押下等である。その後、操作部５０による所定の操作の結果が入力されると（ステップＳ２６  ＹＥＳ）、保留中のデータ通信処理を実行する（ステップＳ２８）。本第３実施形態により、操作部５０による所定の操作のタイミングは複数の携帯電話機間で異なるため、複数の携帯電話機間でデータ通信処理が重複することを極力低減することができ、ネットワークの負荷を低減することができる。
＜第４実施形態＞
本発明の第４実施形態を図５に沿って説明する。
【００４１】
ステップＳ３１〜ステップＳ３４、ステップＳ３８及びステップＳ３９は、図２におけるステップＳ１〜ステップＳ４、ステップＳ７及びステップＳ８と同様である。
【００４２】
制御部１０は、表示部４０がＯＦＦの状態から表示部４０がＯＮの状態に遷移すると（ステップＳ３４  ＹＥＳ）、当該表示部４０のＯＮの状態への遷移が所定のメッセージの受信又はアラーム報知に起因するか否かを判定し（ステップＳ３５）、所定のメッセージの受信又はアラーム報知に起因すると判定した場合（ステップＳ３５  ＹＥＳ）には、保留中のデータ通信処理を実行せず、乱数により時間が設定されたタイマーをセットする（ステップＳ３６）。その後、制御部１０は、タイマーが満了したと判定した場合（ステップＳ３７  ＹＥＳ）、ステップＳ３９へ移る。本第４実施形態により、乱数により設定されたタイマーの時間は複数の携帯電話機間で異なるため、複数の携帯電話機間でデータ通信処理が重複することを極力低減することができ、ネットワークの負荷を低減することができる。
＜第５実施形態＞
本発明の第５実施形態を図６に沿って説明する。
【００４３】
ステップＳ４１〜ステップＳ４４、ステップＳ４７及びステップＳ４８は、図２におけるステップＳ１〜ステップＳ４、ステップＳ７及びステップＳ８と同様である。
【００４４】
制御部１０は、表示部４０がＯＦＦの状態から表示部４０がＯＮの状態に遷移すると（ステップＳ４４  ＹＥＳ）、当該表示部４０のＯＮの状態への遷移が所定のメッセージの受信又はアラーム報知に起因するか否かを判定し（ステップＳ４５）、所定のメッセージの受信又はアラーム報知に起因すると判定した場合（ステップＳ４５  ＹＥＳ）には、送受信ウィンドウサイズを減少させた（ステップＳ４６）上で保留中のデータ通信処理を実行する（ステップＳ４８）。本第５実施形態により、送受信ウィンドウサイズを減少させることにより、表示部がＯＦＦの状態から表示部がＯＮの状態へ遷移するタイミングで一斉送信されるデータの量が低減されることにより、ネットワークの負荷を低減することができる。
＜第６実施形態＞
本発明の第６実施形態を図７に沿って説明する。
【００４５】
ステップＳ５１からステップＳ５３は、図２におけるステップＳ１からステップＳ３と同様である。
【００４６】
制御部１０は、表示部４０がＯＦＦの状態において、データ通信要求に対応するデータ通信処理を保留した場合にユーザにより設定された又は予め設定されているアラームの設定時刻より所定時間前の時刻に到達したか否かを判定する（ステップＳ５４）。制御部１０は、アラームの設定時刻より所定時間前の時刻に到達したと判定した場合（ステップＳ５４  ＹＥＳ）、保留中のデータ通信処理を実行する（ステップＳ５５）。その後、データ通信要求が発生しても、保留はせずに直ちにデータ通信要求に対応するデータ通信処理を実行する。一方で、制御部１０は、アラームの設定時刻より所定時間前の時刻に到達していないと判定した場合（ステップＳ５４  ＮＯ）、データ通信処理を保留したままで、新たに他のデータ通信要求が発生したか否かを監視する（ステップＳ５２）。ここで、新たに他のデータ通信要求が発生したか否かを監視すると共にアラーム設定時刻より所定時間前に到達したか否かを同時に監視してもよく、アラーム設定時刻より所定時間前に到達したと判定した場合、随時、保留中のデータ通信要求に対応するデータ通信処理を実行するとしてもよい。ここでいう所定時間は任意の時間でもよいし、乱数により設定されたものでもよい。本第６実施形態により、アラーム報知の事前に保留されていたデータ通信処理を実行することにより、アラーム報知の際に複数の携帯電話機間で一斉データが送信されることが低減されることにより、ネットワークの負荷を低減することができる。
【００４７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００４８】
また、本発明の装置は、実施形態における携帯電話機１に限定されず、携帯型パソコン、デジタルカメラ、メディアプレイヤ、電子書籍リーダ、ナビゲータ、ゲーム機等の携帯電子機器、通信機能に特化した通信専用モジュール、デスクトップパソコン、テレビ受像器等の据え置き型の電子機器であってもよい。
【符号の説明】
【００４９】
１  携帯電話機（装置）
１０  制御部
２０  通信部
３０  記憶部
４０  表示部
５０  操作部
６０  音声制御部
【図１】
2014215873.tif 000003
【図２】
2014215873.tif 000004
【図３】
2014215873.tif 000005
【図４】
2014215873.tif 000006
【図５】
2014215873.tif 000007
【図６】
2014215873.tif 000008
【図７】
2014215873.tif 000009